(57)【特許請求の範囲】
【請求項１】
内容液注出開口を形成するための領域を備えた頂板部と、頂板部の周縁部から垂下して容器口部の内面と係止する内側筒部と、頂板部の周縁部であって且つ前記内側筒部の外側部分から垂下して容器口部の外面と係止する外側筒部と、頂板部から上方に延びている立ち上がり部を有する注出口部と、注出口部と頂板部とを覆う上蓋とから成る容器蓋において、
前記注出口部は、立ち上がり部の根元部分から水平方向外方に延びている基部を備えており、該基部の外面と上蓋内面との間には、注出口部と上蓋とを係止するための係止部が形成されており、
前記基部を備えた注出口部は、滑剤を含有するプラスチックにより形成され、前記頂板部、内側筒部、外側筒部及び上蓋は、滑剤を含まないプラスチックにより形成されていることを特徴とする容器蓋。
【請求項２】
前記係止部が互いに係合する突部から形成されている請求項１に記載の容器蓋。
【請求項３】
滑剤含有のプラスチックから形成されている部分と滑剤を含有していないプラスチックから形成されている部分との二色成形または嵌め込みにより形成されている請求項１に記載の容器蓋。
【請求項４】
前記注出口部は、滑剤を０．０１乃至０．５重量％の量で含有するプラスチックにより形成されている請求項１に記載の容器蓋。
【発明の詳細な説明】
【０００１】
【発明の属する分野】
本発明は、液切れ性に優れた容器蓋に関するものであり、より詳細には、異種の材料を組み合わせて形成された容器蓋に関する。
【０００２】
【従来の技術】
容器口部に固定される容器蓋本体と上蓋とから成る容器蓋は、公知に属するものであり、従来から種々の用途に広く適用されている。この種の容器蓋では、容器蓋本体の頂板部にスコアにより注出開口形成用領域が形成されており、この領域に設けられているタブリングの引張りによるスコア破断によって開口を形成し、該開口を通して内容液の注出を行うというものである。
特に液体調味料などを収容する容器に上記の様な容器蓋を適用した場合、液切れ性が悪いと、容器蓋本体の注出筒の外部に注出された内容液が付着残存し、これに埃等が付着したり、或いはこの液が固まったりという不都合を生じやすく、液切れ性の改善が望まれている。
【０００３】
液切れ性が改善された容器蓋や容器も種々提案されており、例えば特公平４−７１０２０号公報、実開昭５６−１７２５４０号公報、実開昭５２−１３３７５７号公報等には、容器の口部にシリコーン等の撥水性の被膜等を形成することが開示されている。また特開平２−１４０２４９号公報には、注出口が脂肪酸アミド、脂肪酸エステル等の滑剤を含有するプラスチックで形成されている容器蓋が開示されている。
【０００４】
【発明が解決しようとする課題】
然しながら、前者の容器の口部にシリコーン等の撥水性の被膜等を形成する手段では、シリコーンオイル等を容器口部にスプレー塗布することにより容器口部に撥水性の被膜を形成しているが、容器口部はフラットな面ではなく、曲線状となっていたり、容器蓋を係合するための螺子部が形成されていたりするため、均一な厚みの被膜を形成することが困難であり、実用的でない。また、容器蓋の外面に同様の被膜を形成することも考えられるが、やはり均一な被膜を形成することが困難であり、実用化には至っていない。
【０００５】
また後者の容器蓋においては、滑剤含有プラスチックから成る注出口が内容液と常時接触しているため、滑剤が内容物中へ移行するという不都合を生じ易く、商品価値の点で問題がある。
【０００６】
更に、前述した上蓋と容器蓋本体とから成るタイプの容器蓋では、上蓋を開け易くすることが要求される。また、容器蓋本体の容器口部への固定は、通常、打栓（嵌め込み）により行われるため、打栓性も要求される。前述した先行技術の容器蓋は、これらの要求に答えるものではない。
【０００７】
従って本発明の目的は、液切れ性に優れ、しかも滑剤の内容液への移行も防止された容器蓋を提供することにある。
本発明の他の目的は、開栓性や容器口部への打栓性も良好な容器蓋を提供することにある。
【０００８】
【課題を解決するための手段】
本発明によれば、内容液注出開口を形成するための領域を備えた頂板部と、頂板部の周縁部から垂下して容器口部の内面と係止する内側筒部と、頂板部の周縁部であって且つ前記内側筒部の外側部分から垂下して容器口部の外面と係止する外側筒部と、頂板部から上方に延びている立ち上がり部を有する注出口部と、注出口部と頂板部とを覆う上蓋とから成る容器蓋において、
前記注出口部は、立ち上がり部の根元部分から水平方向外方に延びている基部を備えており、該基部の外面と上蓋内面との間には、注出口部と上蓋とを係止するための係止部が形成されており、
前記基部を備えた前記注出口部は、滑剤を含有するプラスチックにより形成され、前記頂板部、内側筒部、外側筒部及び上蓋は、滑剤を含まないプラスチックにより形成されていることを特徴とする容器蓋が提供される。
【０００９】
本発明においては、内容液の注ぎ出しに際しての液の案内となる注出口部が滑剤含有プラスチックにより形成されているため液切れ性に優れている。しかも、滑剤含有プラスチックから成る注出口部は頂板部の外側に形成され、且つ頂板部や内側筒部などの容器内容液と常時接触する部分は、滑剤を含有していないプラスチックから形成されている。従って、本発明の容器蓋は、滑剤が内容液中に移行するという問題は全く無い。特に滑剤の内容液中への移行が問題がないということは、成形に問題を生じない限り滑剤の配合量を多くできることを意味し、注出口部の滑り性を高め、液切れ性を著しく向上させ得る点で極めて有利となる。更に本発明によれば、注出口部の基部の外面と上蓋内面との間に係止部を設けることにより、上蓋の開栓性が著しく向上する。またこの容器蓋は、内側筒部と外側筒部との間の空間に容器口部を嵌め込むこと（打栓）により容器口部に固定されるが、外側筒部を滑剤含有プラスチックから形成することにより、容器口部への打栓性を向上させることができる。
【００１０】
【発明の実施の形態】
本発明を以下、添付図面に示す具体例に基づいて詳細に説明する。
図１は、本発明の容器蓋において、上蓋が中栓本体とヒンジ連結されているタイプの半断面側面図であり、図２は、図１の容器蓋において、上蓋が開けられている状態の側断面図である。
また図３は、本発明の容器蓋において、上蓋が注出口部と螺子係合により設けられるタイプの半断面側面図である。
【００１１】
図１及び図２における本発明の容器蓋は、容器蓋本体１と上蓋２とから成っており、容器蓋本体１は、下部体５と、その上部に形成されている注出口部６とから成っている。この例において、下部体５は、滑剤を含有していないプラスチックから形成されており、注出口部６は、滑剤を含有しているプラスチックから形成されている。
また、この例において、上蓋２は、下部体５にヒンジ（７）連結され、下部体５と一体に形成されている。
【００１２】
容器蓋本体１は、頂板部１０を備えており、頂板部１０の周縁部からは下方に内側筒部（インナーリング）１１が延びており、更にインナーリング１１の外側に形成されている外側筒部１２を有している。このインナーリング１１と外側筒部１２との間が容器口部（図示せず）嵌め込み用空間１３となっており、打栓により、この空間１３に容器口部を嵌め込むことにより、下部体５は容器口部に固定される。
また頂板部１０には、スコア１５が形成されており、スコア１５によって注出開口形成領域が区画されている。この領域には、タブリング１６が設けられており、タブリング１６を引っ張ることによりスコア１５が破断し、注出開口が形成されることになる。
【００１３】
滑剤含有の注出口部６は、下部体５の上部周縁部側において、前記スコア１５を取り囲むようにして下部体５と一体化されている。即ち、図１及び図２から明らかな通り、注出口部６は、下部体５の頂板部１０によって容器内部とは完全に遮断された位置に形成されており、従って、スコア１５の破断による注出用開口が形成される前の通常の保存状態において、注出口部６が容器内容液と接触することはなく、注出口部６中の滑剤が容器内容液中に移行することはない。
【００１４】
この注出口部６は、環状の立ち上がり部２０を有しており、この立ち上がり部２０が注出された内容液の案内となる。立ち上がり部２０の上端は、液垂れ防止のために外方に湾曲して広がった状態となっている。
また注出口部６の立ち上がり部２０の根元部分から水平方向外側に延びており且つ先端が下方に垂下している基部２１が形成されており、この基部２１の外側コーナー部には、上蓋２をしっかりと係合保持するための突起２２が形成されている（図２参照）。
【００１５】
一方、下部体５にヒンジ連結されている上蓋２は、ヒンジ連結部７とは反対側の先端部に開封用タブ２５を有している。更に上蓋２の内面には、該キャップ２を閉じた時に注出口部６の立ち上がり部２０の上端内面と密着する周状リング２６と、該立ち上がり部２０の上端部が嵌め込まれる様な周状凹部２７とが形成されている。これにより、スコア１５が破断されて注出開口が形成された場合のシール性が確保される。また上蓋２の端部には、前述した突起２２と係合し得るアンダーカット２８が形成されており、アンダーカット２８と突起２２との係合により、上蓋２は、注出口部６の外面にしっかりと係止され、閉栓状態が保持される。尚、上蓋２は、滑剤を含有しないプラスチックから成っており、このため、良好な開栓性が確保されると同時に、アンダーカット２８と突起２２との係合がしっかりとしたものになっている。
【００１６】
本発明の他の例を示す図３において、図３の容器蓋では、上蓋２の内面には、注出口部６の立ち上がり部２０の上端と密着する周状リング２６と共に、螺子状突起３０が形成されており、螺子係合により、注出口部６の外面に着脱自在に上蓋２が設けられる様な構造となっている。
【００１７】
即ち、下部体５の頂板部１０のスコア１５の外側部分には、これを取り囲む様に立ち上がり部３１が形成されており、立ち上がり部３１の上端から若干外側に広がって垂下している内側筒部３２が形成されている。
注出口部６は、これら立ち上がり部３１及び内側筒部３２を取り囲む様にして中栓本体５に一体化されており、例えば注出口部６における液案内部となる立ち上がり部２０は、下部体５の立ち上がり部３１の上端に形成されている。即ち、これら立ち上がり部３１及び２０によって、内容液の注出案内が行われる。また、注出口部６における基部２１の垂下部分は、下部体５の内側筒部３２の外側に沿って延びており、この部分の外面に、上蓋２の螺子状突起３０と係合する螺子状突起３５が形成されている。
【００１８】
また注出口部６の基部２１の下端は、若干外方に広がり、前記内側筒部３２と間隔を置いて下方に延びている外側筒部３６が形成されている。即ち、前述した図１及び２の例では、下部体５に内側筒部１１と外側筒部１２が形成されているが、図３の容器蓋では、下部体５に内側筒部３２が形成され、外側筒部３６は、下部体５ではなく注出口部６と一体に形成されている。即ち、図３においても、内側筒部３２と外側筒部３６とから容器口部嵌め込み用空間１３が形成されているが、この様な空間１３を形成する２つの部材の内の一方である外側筒部３６は、滑剤含有のプラスチックから形成されている。従って、図３の容器蓋は打栓性が極めて良好であることが理解される。この場合において、外側筒部３６は、容器内空間とは完全に遮断されているため、外側筒部３６内の滑剤が容器内容液中に移行することはない。
【００１９】
特に図３の容器蓋は、上蓋２が滑剤含有プラスチックから成る注出口部６の基部２１の外面と螺子係合するため、その開栓トルクが小さいという利点を有している。特に容器口部に対して打栓による嵌め込みで固定する一方で、螺子係合により上蓋を設ける構造の容器蓋では、上蓋を開栓方向に回転させると、容器蓋自体も容器口部に対して旋回してしまう所謂共廻り現象を生じ、この結果、シール性が破壊されたり、上蓋の開栓が困難となり易い。しかし、この態様では、開栓トルクが小さいため、共廻りも有効に防止され、共廻りによるシール破壊も防止され且つ開栓性も良好となる。
また、必要により、外側筒部３６と容器口部との間にラチェット等を設けることにより、共廻りをより確実に防止することもできる。
【００２０】
上述した図１乃至３の例では、種々の設計変更が可能である。例えば、図１の容器蓋では、下部体５に内側筒部１１と外側筒部１２との両方が形成されており、従って容器口部嵌め込み用空間１３が下部体５のみによって形成されているが、これを図３の容器蓋の様に、外側筒部１３を注出口部６と一体に設け、下部体５には内側筒部１１のみを設けることも可能である。この場合も、当然、打栓性は著しく向上することになる。
【００２１】
また前述した例では、注出口部６に形成されている立ち上がり部２０は、周状に形成され且つ一定の高さを有するように構成されているが、特に図１及び２において、立ち上がり部２０のヒンジ連結部７側の約半周部分の背を低くし、ヒンジ連結部７とは反対側の約半周部分の背を相対的に高くすることができる。この場合には、上蓋２の内面の周状リング２６の長さを比較的大きくしても、上蓋２の旋回による閉栓を有効に行うことができ、特に注出用開口を形成した時のシール性を高める上で有利である。また、注出用開口形成後のシール性が特に要求されない様な場合には、立ち上がり部２０は、ヒンジ連結部７とは反対側の約半周部分にのみ形成されていてもよい。
【００２２】
かかる本発明において、下部体、上蓋、注出口部等の形成に用いるプラスチックとしては、一定の成形性を有している限り任意のものを使用することができるが、一般的には、低−，中−又は高密度ポリエチレン、線状低密度ポリエチレン、ポリプロピレンなどのオレフィン系樹脂、熱可塑性ポリエステル、ポリアミド、スチレン系樹脂、ＡＢＳ樹脂等、特に好ましくは、オレフィン系樹脂が使用される。
また注出口部、或いは更に外側筒部や上蓋等、容器内容液とは遮断されている部分を形成する際に上記の様なプラスチックと併用される滑剤としては、それ自体公知のもの、例えば以下のものを挙げることができる。
【００２３】
１．脂肪族炭化水素類
流動パラフィン、工業用白色鉱油、合成パラフィン、石油系ワックス、ペトロラタム、無臭軽質炭化水素等。
２．シリコーン類
各種オルガノポリシロキサン等。
３．脂肪酸、脂肪族アルコール、高級脂肪酸類
動物又は植物油脂から得られた脂肪酸及びこれらに脂肪酸に水素添加したもので炭素数が８〜２２のもの、ヒドキシステアリン酸、直鎖脂肪族一価アルコール、動物又は植物油脂又はこれら脂肪酸エステルを還元し或いは天然ロウを分解蒸留して得られる炭素数４以上のもの、ドデシルアルコール。
４．ポリグリコール類
ポリエチレングリコール（特に分子量２００〜９５００のもの）、ポリプロピレングリコール（分子量１０００以上のもの）、ポリオキシプロピレン−ポリオキシエチレンブロック共重合体（特に分子量１９００〜９０００のもの）。
５．アマイド、アミン類
高級脂肪酸アミド、オレイルパルミトアミド、ステアリルエルカミド、２ステアロミドエチルステアレート、エチレンビス脂肪酸アミド、Ｎ，Ｎ’−オレオイルステアリルエチレンジアミン、Ｎ，Ｎ’−ビス（ヒドロキシエチル）ラウロアマイド、Ｎ−アルキル（Ｃ16〜Ｃ18）トリメチレンジアミンと反応したオレイン酸、脂肪酸ジエタノールアミン、ジ（ヒドロキシエチル）ジエチレントリアミンモノアセテートのジアステアリン酸エステル。
【００２４】
６．一価、多価アルコールの脂肪酸エステル類
ステアリン酸ｎ−ブチル、水添ロジンメチルエステル、セバチン酸ジブチル（特にｎ−ブチル）、セバチン酸ジオクチル、＜２−エチルヘキシル、ｎ−オクチル共＞グリセリン脂肪酸エステル、グリセリルラクトステアリル、ペンタエリスリトールテトラステアレートなどのペンタエリスリトールのステアリン酸エステル、ポリエチレングリコールモノステアレート、ポリエチレングリコールジラウレート、ポリエチレングリコールモノオレエート、ポリエチレングリコールジオレエート、ポリエチレングリコールヤシ油脂肪酸エステル、ポリエチレングリコールトール油脂肪酸エステルなどのポリエチレングリコール脂肪酸エステル、エタンジオールモンタン酸エステル、１，３−ブタンジオールモンタン酸エステル、ジエチレングリコールステアリン酸エステル、プロピレングリコール脂肪酸エステル。
７．トリグリセライド、ワックス類
水添食用油脂、綿実油及びその他の食用油、アマニ油、パーム油、１２−ヒドロオキシステアリン酸のグリセリンエステル、水添魚油、牛脂、スパームアセチワックス、モンタンワックス、カルナバワックス、蜜ロウ、木ロウ、一価脂肪族アルコールと脂肪族飽和酸エステル（例えば硬化鯨油ラウリルステアレート、ステアリルアルコール）、ラノリン。
８．その他
プロピレングリコールアルギネート、ジアルキルケトン。
【００２５】
一般的には、脂肪酸アミド、脂肪酸エステルが好適である。
また上述した滑剤は、通常、0.０１乃至0.５重量％、特に0.０３乃至0.３重量％の量で配合される。この範囲よりも少量であると、注出口部６に優れた液切れ性を付与することができず、またこの範囲よりも多量に使用すると、これを配合するプラスチックの成形性が損なわれる傾向がある。
【００２６】
本発明において、下部体と注出口部との一体化物である容器蓋本体は、例えば二色成形により製造される。即ち、上述したプラスチックの射出成形等により下部体を成形し、次いで、この下部体を成形用金型の一部とするインサート成形法により、滑剤含有プラスチックを用いて下部体に一体化した注出口部を成形することにより、容器蓋本体を製造することができる。この場合、注出口部を外側筒部と一体化した形状とすれば、図３の容器蓋が得られる。また、予め注出口部を成形し、次いでインサート成形により、これに一体化して容器蓋本体を成形することもできる。
この場合において、図１及び図２の様に、上蓋が下部体にヒンジ結合により一体化されている容器蓋の場合には、下部体と上蓋とを一体に成形するが、図３の容器蓋の場合には、上蓋は、容器蓋本体とは全く別個に成形する。
また、二色成形を行わず、注出口部と下部体とのそれぞれに互いに嵌合し得るような凸部と凹部とを形成しておき、これらを嵌め込み式に組み合わせて一体化することも可能である。
【００２７】
【発明の効果】
上記の様にして得られる本発明の容器蓋は、注出液の案内として機能する注出口部が滑剤含有プラスチックで形成されており、液切れ性に極めて優れている。例えば、図１及び図２に示す構造の容器蓋について、以下の方法で液切れ性の評価を行ったところ、以下の様な結果を得た。
【００２８】
液切れ性の評価試験：
容器蓋を食酢を満たした容器に装着し、スコアを破断して注出開口を形成した後、この容器を垂直状態から水平以上に傾け、注出口から内容液の液体調味料を注出し、再度、垂直状態に戻す操作を２５秒に１回の割合で繰り返し、内容液が環状体の外側に垂れる迄の回数を測定した。
尚、環状体の種類毎にそれぞれ５個のサンプルを用意し、環状体の種類毎に液垂れ迄の回数の平均値、最大値／最小値をもって測定結果を示した。
測定結果：
脂肪酸アミドを0.０５重量％含有するポリプロピレンで形成された環状体を用いた容器蓋では、平均値＝２9.３、最大値／最小値＝４０／８であった。
また滑剤を全く含有しないポリプロピレンで形成された環状体を用いた容器蓋では、平均値＝2.２、最大値／最小値＝４／１であった。
この結果から明らかな通り、本発明の容器蓋は、液切れ性が極めて良好であった。
【００２９】
また本発明の容器蓋は、滑剤含有プラスチックから成る注出口部が、容器内容液とは完全に遮断された位置に形成されており、しかも容器内容液と常時接触する頂板部や内側筒部等の部材は滑剤を含有していないプラスチックで形成されているため、容器の保存中に滑剤が容器内容液中に移行するという不都合は全くなく、商品価値が極めて高い。特に、滑剤の容器内容液中への移行が有効に防止されているため、成形性に悪影響を与えない範囲内で滑剤の使用量を可及的に多くすることができ、この結果、液切れ性を最大限に高めることができる。
更に注出口部の外面との係止により上蓋が閉栓状態に保持されている場合には、上蓋の開栓を容易に行うことができる。特に上蓋と注出口部外面との係止が螺子係合である場合には、上蓋の開栓時における容器蓋の容器口部に対する回転（共廻り）を有効に防止することができ、容器口部と容器蓋とのシール性を損なうことなく上蓋の開栓性を向上させることができる。
更に、滑剤が注出口部内部に添加されているため、滑剤の使用量を調整することにより、液切れ性や開栓性の向上効果を容易に高めることもできる。
本発明の容器蓋は、例えば麺つゆ、ポン酢、食酢その他の液体調味料用容器に特に有効に適用される。
【図面の簡単な説明】
【図１】本発明の容器蓋において、上蓋が下部体とヒンジ連結されているタイプの半断面側面図。
【図２】図１の容器蓋において、上蓋が開けられている状態の側断面図。
【図３】本発明の容器蓋において、上蓋が注出口部外面と螺子係合により設けられるタイプの半断面側面図。
【符号の説明】
１：容器蓋本体
２：上蓋
５：下部体
６：注出口部
１０：頂板部
１１：内側筒部
１２：外側筒部
１３：容器口部嵌め込み用空間
１５：スコア
２０：立ち上がり部
２１：基部
２２：突起
２５：開封用タブ
２６：周状リング
２７：周状凹部
２８：アンダーカット
３０：螺子状突起
３２：内側筒部
３６：外側筒部
【図１】
0004006060.tif 000002
【図２】
0004006060.tif 000003
【図３】
0004006060.tif 000004